(57)【特許請求の範囲】
【請求項１】
釣竿を内部に収納可能に、前記釣竿が外部から目視可能な釣竿用パッケージであって、
透明樹脂からなり、前記釣竿を収納可能な直方体型に、長手方向の一端側端部に折返しが形成された第１収納体と、
透明樹脂からなり、前記第１収納体内に長手方向にスライド移動して収納自在に連結され、前記釣竿を収納可能な直方体型に、かつ、前記第１収納体の前記折返しと係止可能な折返しが長手方向の他端側端部に設けられた第２収納体とを備え、
前記第２収納体を前記第１収納体内から引き出した際、前記第１収納体の前記折返しと前記第２収納体の前記折返しとが互いに係止するようにした
ことを特徴とする釣竿用パッケージ。
【請求項２】
前記第１収納体及び第２収納体は、その内部に収納される前記釣竿の長手方向長さの略１／２の長手方向長さを有し、
前記第１収納体及び前記第２収納体内に配置される前記釣竿の長手方向長さにほぼ等しい長手方向長さを有するインナーをさらに備える、請求項１に記載の釣竿用パッケージ。
【請求項３】
前記インナーは、前記釣竿を前記インナー上に固定する固定手段をさらに備える、請求項２に記載の釣竿用パッケージ。
【発明の詳細な説明】
【０００１】
【発明の属する技術分野】
本発明は、販売時等において釣竿を収納しているパッケージに関する。
【０００２】
【従来の技術】
従来の釣竿用のパッケージは、例えば、PET，PP-TD樹脂等から形成される直方体型箱体からなる。この箱体は長手方向両端面が開閉可能になっており、長手方向両端面のいずれか一方を開閉して箱体内に釣竿を収納する。
このパッケージの箱体は透明で内部の釣竿を目視可能であり、内部に収納された釣竿の損傷を防ぎつつ店頭に配置される。そして、釣竿は消費者に提供されている。
【０００３】
【発明が解決しようとする課題】
従来のパッケージでは、内部に収納された釣竿をパッケージから取出し実際に取扱って見るためには、パッケージの長手方向端面のいずれか一方を開いて内部の釣竿を取り出すことになる。
しかし、例えば、振出形式でコンパクトにされた状態でもその長さが十分に長い釣竿では、パッケージの長手方向端面のいずれか一方を開いて内部の釣竿を取り出そうにも、容易に釣竿を引き出し難い。そこで、開いた端面を重力方向に傾けて釣竿を取り出す作業等を行うことにもなる。このような取り出し作業は繁雑であり、狭い店内ではそのような作業が行いがたい場合もある。
【０００４】
本発明の課題は、内部に収納した釣竿を容易に取り出すことができる釣竿用パッケージを提供することにある。
【０００５】
【課題を解決するための手段】
発明１にかかるパッケージは、釣竿を内部に収納可能なパッケージであって、釣竿を収納可能な本体部を備えている。そして、本体部の長手方向に沿った側面が開閉自在である。
このパッケージでは、本体部の長手方向に沿った側面が開閉自在であり、この側面を開閉して本体部内に釣竿を収納可能である。このパッケージに収納された釣竿が店頭に配置された場合、消費者はこの側面からパッケージ内の釣竿を実際に取出して取扱うことが可能である。即ち、消費者は、一々パッケージを傾けたりすることなく、収納長さが比較的長い釣竿であっても容易に取出して取扱うことができる。特に、多くの釣竿が配置された狭い店頭において有益である。
【００１０】
【課題を解決するための手段】
発明１にかかる釣竿用パッケージは、釣竿を内部に収納可能に、前記釣竿が外部から目視可能な釣竿用パッケージであって、透明樹脂からなり、釣竿を収納可能な直方体型に、長手方向の一端側端部に折返しが形成された第１収納体と、透明樹脂からなり、第１収納体内に長手方向にスライド移動して収納自在に連結され、釣竿を収納可能な直方体型に、かつ、前記第１収納体の前記折返しと係止可能な折返しが長手方向の他端側端部に設けられた第２収納体とを備え、前記第２収納体を前記第１収納体内から引き出した際、前記第１収納体の前記折返しと前記第２収納体の前記折返しとが互いに係止するようにしたことを特徴とする。このパッケージでは、釣竿をパッケージ内に収納する場合は、まず、第２収納体を長手方向にスライド移動させて第１収納部内に第２収納部自体を収納する。そして、第１収納体及び第２収納部体に釣竿を配置した後、第２収納部を逆長手方向にスライド移動させて第１収納体及び第２収納体によって釣竿を完全に覆い収納する。この状態で、釣竿は運搬され店頭に並べられることになる。
【００１１】
そして、このパッケージに収納された釣竿が店頭に配置された場合、消費者は第２収納体を第１収納体方向にスライド移動させることで、内部の釣竿を実際に取出して取扱うことが可能である。即ち、消費者は、一々パッケージを傾けたりすることなく、収納長さが比較的長い釣竿であっても容易に取出して取扱うことができることになる。
【００１２】
発明２にかかる釣竿用パッケージは、発明１の釣竿用パッケージであって、第１収納体及び第２収納体は、その内部に収納される釣竿の長手方向長さの略１／２の長手方向長さをそれぞれ有している。そして、第１収納体及び第２収納体内に配置される釣竿の長手方向長さにほぼ等しい長手方向長さを有し、釣竿を配置可能なインナーをさらに備えている。
【００１３】
このパッケージでは、釣竿の長手方向長さ（またはしまい長さ）に等しい長手方向長さのインナー上に釣竿が配置されている。運搬時等にはこのインナーが釣竿の損傷を抑える。そして、釣竿をパッケージから取り出す際には、第２収納体を第１収納体に対して長手方向にスライド移動させることで、少なくとも釣竿の長手方向長さの略１／２程度は外部に露出するので、消費者はインナーから釣竿を容易に取り出して扱うことが可能になる。
【００１４】
発明３にかかる釣竿用パッケージは、発明２の釣竿用パッケージであって、インナーは、釣竿をインナー上に固定ずる固定手段をさらに備えている。この場合には、固定手段により釣竿をインナーに固定することで、運搬時の釣竿の損傷をさらに有効に抑えることが可能である。
【００１５】
【発明の実施の形態】
［第１実施形態］
以下、本発明の第１実施形態について、図面を参照しつつ説明する。
図１に示すように、本発明の第１実施形態を採用したパッケージは、直方体型の本体部１を有する。そして、本体部１の長手方向に沿った側面の１つが開閉自在な開閉部２となっている。
【００１６】
本体部１は、例えば振出形式で縮小されコンパクトな状態にされた釣竿Ｒ（図２参照）を収納可能な長手方向への長さを有している。内部に収納した釣竿Ｒを外部から目視可能なように、透明な樹脂、例えばPET，PP-TD樹脂等から形成され、さらに、その表面には商品イメージに合わせて様々な模様や商品名・商品説明が付されている。また、本体部１の長手方向端面１ａ，１ｂの開閉部２側片の一部は半円状に切欠部１１が形成されており、開閉部２の開閉時に開閉部２を指で引っかけることができるようになっている。さらに、本体部１の長手方向端面１ａ，１ｂの開閉部２側片の一端にはそれぞれ貫通孔が形成され、長手方向端面１ａ，１ｂの開閉部２側片の一端同士を長手方向に連ねる貫通軸１２が配置される。
【００１７】
図２に詳しく示すように、開閉部２も内部に収納した釣竿Ｒを外部から目視可能なように、透明な樹脂、例えばPET，PP-TD樹脂等から形成される。この開閉部２は適度の厚みを有し、本体部１の長手方向に沿った側面の１つを形成する矩形板状部材である。開閉部２の長手方向端面２ａには、本体部１の切欠部１１に対応する位置に本体部１と同様の切欠部１３が形成されている。また、開閉部２の幅方向一端には長手方向に貫通する貫通孔が形成されており、この貫通孔を貫通軸１２が貫通して貫通軸１２を中心に開閉部２は回動自在になっている。
【００１８】
一方、開閉部２の幅方向他端面には、複数の係止部１４が設けられている。この係止部１４は、例えば、開閉部２の幅方向他端面より突出した凸部や、面ファスナ等である。この係止部１４が開閉部２を閉じた際に本体部１の対応部位に係止されて開閉部２は本体部１に係止される。
釣竿Ｒは、パッケージの本体部１内部に収納され、係止部１４を本体部１に係止させて開閉部２を閉じた状態で運搬されまた店頭に陳列される。店頭に配置されて消費者が釣竿Ｒをパッケージから取り出して実際に取り扱う際には、消費者は切欠部１１，１３より指を引っかけながら正面の開閉部２を回動させて開けば足りる。
【００１９】
このように、消費者は、一々パッケージを傾けたりすることなく、収納長さが比較的長い釣竿であっても容易に本体部１内から釣竿Ｒを取出して取扱うことができる。特に、多くの釣竿が配置された狭い店頭において有益である。
［第２実施形態］
図３に示すように、本発明の第２実施形態を採用したパッケージは、長手方向に沿った側面の１つが開口した直方体型の本体部３１と、本体部３１の開口に回動自在に配置された半円筒型回転体３２とを有している。
【００２０】
本体部３１は、例えば振出形式で縮小されコンパクトな状態にされた釣竿Ｒ（図４参照）を収納可能な長手方向への長さを有している。本体部３１は、透明なPET等の合成樹脂の他、硬質紙等から形成してもよい。この本体部３１の長手方向端面３１ａ，３１ｂの開口側片の幅方向中央付近には、それぞれ貫通孔が形成されており、回転軸４２が貫通している。
【００２１】
図４に詳しく示すように、半円筒型回転体３２は中空の円筒部材を長さ方向に欠けて半割した形状であり、この半割された面（釣竿収納面）３２ａから内部に釣竿Ｒを収納可能である。そして、透明な樹脂、例えばPET，PP-TD樹脂等から形成される。長手方向両端面の半割面３２ａ側片の幅方向中央付近にはそれぞれ貫通孔が形成され、長手方向両端面においてそれぞれ貫通軸４２が本体部の貫通孔にかけて貫通し、半円筒型回転体３２が回動自在になっている。
【００２２】
釣竿Ｒをこのパッケージ内に収納する場合は、まず本体部３１の開口から本体部３１内に釣竿Ｒを収納し、続いて、釣竿収納面３２ａが本体部３１内方向に向かうように半円筒型回動部３２を回動して、本体部３１と半円筒型回動部３２とで釣竿をＲ収納する。この状態で、釣竿は運搬され店頭に並べられることになる。
【００２３】
そして、このパッケージに収納された釣竿Ｒが店頭に配置された場合、消費者は、釣竿収納面３２ａを外方に向けるように半円筒型収納部３２を回動させて本体部３１の開口を開く。そして、本体部３１内の釣竿Ｒを実際に取出して取扱うことが可能である。即ち、消費者は、一々パッケージを傾けたりすることなく、収納長さが比較的長い釣竿であっても容易に取出して取扱うことができる。
【００２４】
［第３実施形態］
以下、本発明の第３実施形態について、図面を参照しつつ説明する。
図５及び図６に示すように、本発明の第３実施形態を採用したパッケージは、釣竿Ｒを内部に収納可能な直方体型の第１収納体５１と、第１収納体５１内に長手方向にスライドして収納自在に連結され、釣竿Ｒを内部に収納可能な直方体型の第２収納体５２とを有している。そして、第１収納体５１及び第２収納体５２内にはインナー５３が配置されている。
【００２５】
第１収納体５１は、例えば振出形式で縮小されコンパクトな状態にされた釣竿Ｒの長手方向長さの略１／２程度の長手方向長さを有している。内部に収納した釣竿Ｒを外部から目視可能なように、透明な樹脂、例えばPET，PP-TD樹脂等から形成され、さらに、その表面には商品イメージに合わせて様々な模様や商品名・商品説明が付されている。また、第２収納体５２が連結される長手方向一端側端部には、後述の折返し５１ａが４辺にわたって形成されている（図７参照）。
【００２６】
第２収納体５２も、第１収納体５１と同様の長手方向長さを有する。その外径は第１収納体５１の内部に収納自在なように第１収納体５１の内径に合うように形成されており、長手方向他端側から第１収納体５１内にいわゆる振出形式で収納可能にスライド移動する。また、その材質も第１収納体５１と同様で透明樹脂から形成されており、第１収納体５１が連結される長手方向他端側端部には、後述の折返し５２ａが４辺にわたって形成されている（図７参照）。
【００２７】
図７に詳しく示すように、これら第１収納体５１及び第２収納体５２の長手方向端部にはそれぞれフック状に折り返された折返し５１ａ，５２ａが設けられている。そして、第２収納体５２を第１収納体５１内よりスライド移動させて引き出した際、図７（ｂ）に示すように、折返し５１ａ，５２ａが互いに係止されて第２収納体５２がそれ以上スライド移動せず、第２収納体５２が第１収納体５１から外れてしまうのを抑えている。
【００２８】
インナー５３は、断面Ｈ字型であり、振出形式で縮小されコンパクトな状態にされた釣竿Ｒの長手方向長さにほぼ等しい長手方向長さを有するプラスチック，硬質紙等から形成される部材である。そして、長手方向一端側にベルト状の固定手段５４が連結されている。この固定手段５４は先端部に固定孔が形成された弾性を有する部材である。
【００２９】
このパッケージでは、例えば、振出形式で収納されコンパクトな状態にされた釣竿Ｒはインナー５３上に配置される。固定手段５４をその弾性により引き延ばし、例えば、釣竿Ｒのリールシート付近やグリップなどを固定手段５４の貫通孔に引っかけて、釣竿Ｒをインナー５３上に固定する。そして釣竿Ｒはインナー５３と共に第１収納体５１及び第２収納体５３内に収められる。
【００３０】
具体的には、釣竿Ｒをパッケージ内に収納する場合は、まず、第２収納体５２の一端側底面を開放して第２収納体５２を長手方向にスライド移動させて第１収納部５１内に第２収納部５２自体を収納する。そして、第１収納体５１及び第２収納部体５２内部に釣竿Ｒ及びインナー５３を配置した後、第２収納部５２を逆長手方向にスライド移動させて第１収納体５１及び第２収納体５２によって釣竿及びインナー５３を完全に覆い収納する。この状態で、釣竿は運搬され店頭に並べられることになる。
【００３１】
そして、このパッケージに収納された釣竿Ｒが店頭に配置された場合、消費者は第２収納体５２の一端側底面を開放した上で、第１収納体５１方向に第２収納体５２をスライド移動させることで、内部の釣竿Ｒを実際に取出して取扱うことが可能である。
即ち、消費者は、一々パッケージを傾けて内部の釣竿Ｒを引き出したりすることなく、収納長さが比較的長い釣竿Ｒであっても容易に取出して取扱うことができる。
【００３２】
［他の実施形態］
（ａ）図８に示すように、本体部の開口に対して幅方向両端に回動軸を設けて、開閉部をいわゆる「観音開き」にしてもよい。
（ｂ）開閉部を閉じた状態における開閉部の係止手段としては、突起部，面ファスナーの他に、本体部に連結した紐部材を用いてもよい。
（ｃ）本体部は直方体型に限定されるものではなく、円筒型・多角形型等の種々の形状をとり得る。
（ｄ）第３実施形態において、第１収納体が第２収納体内部にスライド移動して収納されるように形成してもよい。
（ｅ）第３実施形態における固定手段は、釣竿Ｒを縛留可能な紐でもよい。
【００３３】
【発明の効果】
本発明に係るパッケージによれば、内部に収納した釣竿を容易に取り出すことができる。
【図面の簡単な説明】
【図１】本発明の第１実施形態を採用したパッケージの全体図。
【図２】図１の部分的拡大図。
【図３】本発明の第１実施形態を採用したパッケージの全体図。
【図４】図３の部分的拡大図。
【図５】本発明の第３実施形態を採用したパッケージの全体図。
【図６】図５のパッケージの第２収納体５２をスライドさせた状態を示した図。
【図７】図５のVII−VII断面拡大図。
【図８】本発明の他の実施形態を採用したパッケージを示した図。
【符号の説明】
１，３１  本体部
２  開閉部
３２  半円筒型回転体
５１  第１収納体
５２  第２収納体
５３  インナー
Ｒ  釣竿
【図１】
0004412627.tif 000002
【図２】
0004412627.tif 000003
【図３】
0004412627.tif 000004
【図４】
0004412627.tif 000005
【図５】
0004412627.tif 000006
【図６】
0004412627.tif 000007
【図７】
0004412627.tif 000008
【図８】
0004412627.tif 000009